(57)【要約】【課題】  内箱の係止孔を、冷気の流通抵抗を大とすることなく開閉可能に閉塞し、商品の冷却効率を向上させる。【解決手段】  内箱４の後面板１３の裏面に、後面板１３に形成された係止孔１４を常時閉塞するとともに、棚板１５の係止軸１６をいずれかの係止孔１４に挿入したとき、その係止孔１４と対向する部分が通風路６内の冷気の流れとほぼ平行をなす方向に弾性変形する閉塞部材１７を設ける。【選択図】  図１
2005337603.tif 000002
【特許請求の範囲】
【請求項１】
外箱と内箱とにより、上面または前面が開口する冷蔵室を形成するとともに、前記外箱と内箱との間に形成された通風路内に、冷却手段と送風手段とを設け、前記外箱と内箱との間の一方の側端上部の開口部に設けた冷気吹出口から、他方の側端上部の開口部に設けた冷気吸込口に向かって吹き出される冷気のエアカーテンにより前記冷蔵室を保冷するとともに、前記内箱の後面板に穿設された前記通風路と連通する上下複数の係止孔のいずれかに、棚板の後端の係止突部を挿入して係止することにより、棚板の少なくとも後端を上下位置調節可能として支持してなる冷蔵ショーケースにおいて、
前記後面板の裏面に、前記各係止孔を常時閉塞するとともに、前記棚板の係止突部をいずれかの係止孔に挿入したとき、その係止孔と対向する部分が前記通風路内の冷気の流れとほぼ平行をなす方向に弾性変形する閉塞部材を設けたことを特徴とする冷蔵ショーケース。
【請求項２】
閉塞部材が、各係止孔を連続して閉塞し得る弾性変形可能な軟質合成樹脂製の塞ぎ板よりなり、該塞ぎ板における各係止孔と対向する部分に、係止孔の直径より長寸の上下方向を向くスリットを設けた請求項１に記載の冷蔵ショーケース。
【請求項３】
各スリットを上下方向に連続させた請求項２に記載の冷蔵ショーケース。
【請求項４】
塞ぎ板を、各係止孔の中央部において左右に２分割し、その分割線を上下方向に連続するスリットとした請求項２または３に記載の冷蔵ショーケース。
【請求項５】
互いに隣接する係止孔間の塞ぎ板に、スリットと直交する横向きスリットを設けた請求項２ないし４のいずれかに記載の冷蔵ショーケース。
【請求項６】
塞ぎ板の少なくとも両側縁に、硬質合成樹脂よりなる縁板を連設し、この縁板を後面板に固定した請求項２ないし５のいずれかに記載の冷蔵ショーケース。
【請求項７】
閉塞部材が、各係止孔を連続して閉塞し得る弾性変形可能な軟質合成樹脂よりなる塞ぎ板よりなり、該塞ぎ板における各係止孔と対向する部分に、正面視コ字状もしくは逆コ字状をなすスリットを設け、該スリットにより囲まれた部分が、棚板の係止突部挿入時に後方に弾性変形するようにした請求項１に記載の冷蔵ショーケース。
【請求項８】
閉塞部材が、各係止孔を個別に閉塞し得るとともに、棚板の係止突部挿入時に後方に弾性変形する軟質合成樹脂製の複数の塞ぎ板からなるものである請求項１に記載の冷蔵ショーケース。
【発明の詳細な説明】
【技術分野】
【０００１】
本発明は、スーパーマーケットやデパート等の食品売場において冷蔵また冷凍食品を陳列する冷蔵（冷凍も含む）ショーケースに係り、特に、食品の冷却効率を向上させ得るようにした冷蔵ショーケースに関する。
【背景技術】
【０００２】
この種の冷蔵ショーケースにおいては、ケース本体内の冷蔵室に設けた棚板の高さや傾斜角度を、陳列する商品の種類に合わせて調節し得るようになっている。この際、内箱の前面板と後面板とに設けた上下複数の係止孔に、棚板の前後両端に突設した係止突部を選択的の挿入して、棚板の高さや傾斜角度を調節しているのが一般的である。
【０００３】
このようにして棚板の高さを調節すると、内箱の後面板の背面側には冷気が循環しているため、それに穿設された上方の係止孔を用いて棚板の後端を支持した際に、棚板の下方の使用していない係止孔より冷気の一部が流出し、冷気のショートサイクルが形成されてしまう。このようになると、上方の吹出口に向かう冷気の風量（圧力）が減少し、冷気のエアカーテンの層が薄くなるなどして商品の冷却効率が低下する。
【０００４】
この問題を解決するために、本願の出願人は、棚板の係止突部が係止されていない内箱（内側ケーシング）の係止孔（開口部）を自動的に閉じる開閉蓋を設けた冷蔵ショーケースを案出し、先に特許出願している（特許文献１参照）。
【０００５】
【特許文献１】特開平１０−２４３８４６号公報（図５）
【発明の開示】
【発明が解決しようとする課題】
【０００６】
しかし、上記特許文献に記載されている冷蔵ショーケースにおいては、係止孔を閉じる開閉蓋が、冷気の通風空間内において冷気の流れる方向と直交する方向に開かれるようになっているため、冷気の流通抵抗が大となり、上方の吹出口に向かって円滑に流れないという問題を有していた。
【０００７】
本発明は、上記問題点を解決するためになされたもので、内箱の係止孔を、冷気の流通抵抗を大とすることなく開閉可能に閉塞することにより、商品の冷却効率を大幅に向上させることができるようにした冷蔵ショーケースを提供することを目的としている。
【課題を解決するための手段】
【０００８】
上記目的を達成するために、本発明の請求項１に記載の冷蔵ショーケースは、外箱と内箱とにより、上面または前面が開口する冷蔵室を形成するとともに、前記外箱と内箱との間に形成された通風路内に、冷却手段と送風手段とを設け、前記外箱と内箱との間の一方の側端上部の開口部に設けた冷気吹出口から、他方の側端上部の開口部に設けた冷気吸込口に向かって吹き出される冷気のエアカーテンにより前記冷蔵室を保冷するとともに、前記内箱の後面板に穿設された前記通風路と連通する上下複数の係止孔のいずれかに、棚板の後端の係止突部を挿入して係止することにより、棚板の少なくとも後端を上下位置調節可能として支持してなる冷蔵ショーケースにおいて、
前記後面板の裏面に、前記各係止孔を常時閉塞するとともに、前記棚板の係止突部をいずれかの係止孔に挿入したとき、その係止孔と対向する部分が前記通風路内の冷気の流れとほぼ平行をなす方向に弾性変形する閉塞部材を設けたことを特徴としている。
この特徴によれば、棚板の係止突部が挿入されていない各係止孔は閉塞部材により常時閉塞されているので、棚板の下方に冷気が洩れ出してショートサイクルが形成される恐れはなく、商品の冷却効率が向上する。
また、係止突部が挿入された係止孔と対向する部分の閉塞部材は、冷気の流れとほぼ平行をなす方向に弾性変形するので、従来のように冷気の流通抵抗が大きくなることはなく、上方の吹出口に向かって冷気が円滑に流れるようになる。
【０００９】
本発明の請求項２に記載の冷蔵ショーケースは、請求項１に記載の冷蔵ショーケースであって、閉塞部材が、各係止孔を連続して閉塞し得る弾性変形可能な軟質合成樹脂製の塞ぎ板よりなり、該塞ぎ板における各係止孔と対向する部分に、係止孔の直径より長寸の上下方向を向くスリットを設けたことを特徴としている。
この特徴によれば、係止突部を係止孔に挿入すると、それと対向する部分の塞ぎ板のみが、他の係止孔を塞いだままの状態で、スリット形成部において後方に容易に弾性変形することができる。
【００１０】
本発明の請求項３に記載の冷蔵ショーケースは、請求項２に記載の冷蔵ショーケースであって、各スリットを上下方向に連続させたことを特徴としている。
この特徴によれば、スリットが上下方向に連続しているので、係止突部の太さに関係なく、塞ぎ板の任意の位置のスリット形成部を容易に弾性変形させることができる。
【００１１】
本発明の請求項４に記載の冷蔵ショーケースは、請求項２または３に記載の冷蔵ショーケースであって、塞ぎ板を、各係止孔の中央部において左右に２分割し、その分割線を上下方向に連続するスリットとしたことを特徴としている。
この特徴によれば、塞ぎ板が左右に２分割されているので、分割線であるスリット部がより弾性変形し易くなる。
【００１２】
本発明の請求項５に記載の冷蔵ショーケースは、請求項２ないし４のいずれかに記載の冷蔵ショーケースであって、互いに隣接する係止孔間の塞ぎ板に、スリットと直交する横向きスリットを設けたことを特徴としている。
この特徴によれば、互いに隣接する係止孔間の塞ぎ板が横向きスリットにより分離されているため、いずれかの係止孔に係止突部を挿入して、それと対向する部分の塞ぎ板をスリット形成部において弾性変形させた際に、他の係止孔と対向する部分の塞ぎ板が引き連れられて変形する恐れはなく、他の係止孔の閉塞性が向上する。
【００１３】
本発明の請求項６に記載の冷蔵ショーケースは、請求項２ないし５のいずれかに記載の冷蔵ショーケースであって、塞ぎ板の少なくとも両側縁に、硬質合成樹脂よりなる縁板を連設し、この縁板を後面板に固定したことを特徴としている。
この特徴によれば、塞ぎ板の両側部が硬質合成樹脂よりなる縁板により後面板に強固に保持された状態で、軟質合成樹脂製の塞ぎ板のみが容易に弾性変形することができる。
【００１４】
本発明の請求項７に記載の冷蔵ショーケースは、請求項１に記載の冷蔵ショーケースであって、閉塞部材が、各係止孔を連続して閉塞し得る弾性変形可能な軟質合成樹脂よりなる塞ぎ板よりなり、該塞ぎ板における各係止孔と対向する部分に、正面視コ字状もしくは逆コ字状をなすスリットを設け、該スリットにより囲まれた部分が、棚板の係止突部挿入時に後方に弾性変形するようにしたことを特徴としている。
この特徴によれば、係止突部を係止孔に挿入した際、塞ぎ板におけるコ字状または逆コ字状により囲まれた部分のみが弾性変形し、他の係止孔は閉塞されているため、商品の冷却効率が向上する。
【００１５】
本発明の請求項８に記載の冷蔵ショーケースは、請求項１に記載の冷蔵ショーケースであって、閉塞部材が、各係止孔を個別に閉塞し得るとともに、棚板の係止突部挿入時に後方に弾性変形する軟質合成樹脂製の複数の塞ぎ板からなるものであることを特徴としている。
この特徴によれば、各係止孔は、個別の塞ぎ板により閉塞され、係止突部挿入時には、他の塞ぎ板に影響を与えることなく独立して弾性変形するので、各係止孔の閉塞性がより一層向上し、商品の冷却効率もさらに向上する。
【発明を実施するための最良の形態】
【００１６】
以下、本発明の実施形態を図面に基づいて説明する。
【００１７】
図１の縦断側面図に示すように、本発明の冷蔵ショーケース１は、上面が開口され、内部に断熱材２が収容された外箱３と、同じく上面が開口され、外箱３により囲まれた内箱４とからなるケース本体５と、外箱３と内箱４との間の通風路６の下部内に設置された冷却手段７及び送風手段８とを備えている。
【００１８】
外箱３と内箱４間の後端上部には、前方を向く冷気の吹出口９が、また同じく前端上部には吸込口１０が、それぞれ上方を向く通風路６と連通状に設けられ、吸出口９から吸込口１０に向かって流れる冷気のエアカーテンにより、内箱４により囲まれた冷蔵室１１が冷却されるようになっている。
【００１９】
内箱４の対向する前面板１２と後面板１３とには、円形の複数の係止孔１４が、上下方向に所定間隔おきに左右２列形成され、これらの係止孔１４には、冷蔵室１１内に設けた棚板１５における前後両端に突設された係止軸１６，１６が、選択的に挿入して係止され、棚板１５の高さや傾斜角度が調節し得るようになっている。後面板１３の裏面には、各係止孔１４を常時開閉可能に閉塞する閉塞部材１７が取付けられている。
【００２０】
閉塞部材１７は、図２の後面図に示すように、硬質合成樹脂よりなる長方形の枠状縁板１８により囲まれた内部に、後面板１３の上下の各係止孔１４を閉塞し得る大きさの弾性変形可能な軟質合成樹脂（エラストマーも含む）よりなる塞ぎ板１９を一体成形するとともに、塞ぎ板１８の中央に上下方向を向く縦スリット２０を設け、さらに、枠状縁板１８と塞ぎ板１９との上下の境界部に、左右方向を向く所要長さの横向きスリット２１，２１を、縦スリット２０と連続するように設けて構成されている。なお、塞ぎ板１９は、縦スリット２０に向かって漸次薄肉とされ、撓み易くしてある。
【００２１】
枠状縁板１８の四隅部には、ねじまたは樹脂ファスナ等により後面板１３に固定するための取付孔２２が穿設されている。また、上記閉塞部材１７は、塞ぎ板１９に設けた縦スリット２０が後面板１３の各係止孔１４の中央に位置するようにして、後面板１３の裏面に密着されて固定されている。
【００２２】
棚板１５の高さを調節するべく、その後部の係止軸１６を、後面板１３のいずれかの係止孔１４に挿入すると、それと対向する部分の塞ぎ板１９が、図３に示すように、通風路６内の冷気の流れとほぼ平行をなすように、縦スリット２０を拡開して部分的に後方に弾性変形する。
【００２３】
この際、係止軸１６が挿入されていない他の係止孔１４は、弾性変形していない塞ぎ板１９の他の部分により閉塞されているので、通風路６内の冷気が冷蔵室１１に流出することはない。特に、棚板１５の下方より流出した冷気によりショートサイクルが形成されるのが防止されるので、冷蔵室１１の商品の冷却効率が低下する恐れはない。
【００２４】
また、塞ぎ板１９は、冷気の流れとほぼ平行をなすように、通風路６内に向かって弾性変形するので、冷気の流通抵抗が大きくなることはない。
【００２５】
さらに、係止軸１６が挿入されていない他の係止孔１４は、全て閉塞されているので、上方の吹出口９に向かう冷気の風量が減少することはなく、エアカーテンの層が薄くなるなどして、冷却効率を低下させることもない。なお、係止軸１６を引き抜くと、塞ぎ板１９が弾性復元して係止孔１４が閉塞される。
【００２６】
また、閉塞部材１７は、上下方向に形成される複数の係止孔１４を閉塞可能な上下幅を有していることで、係止部材１７を各係止孔１４に対向して個別に取付ける必要がないので、後面板１３の裏面に容易に取り付けることができる。
【００２７】
図４ないし図７は、閉塞部材の変形例を示す。
【００２８】
図４の閉塞部材２３は、塞ぎ板１９を中央において左右に２分割し、両分割片１９ａ，１９ｂの側端に、硬質合成樹脂製の縁板２４を一体成形してある。両分割片１９ａ，１９ｂの分割線を突き合わせて上下に連続するスリット２５が形成されるように、後面板１３に固定することにより、上述と同様の作用効果が得られる。
【００２９】
また、この閉塞部材２３の塞ぎ板１９は左右に２分割されているので、係止軸１６を挿入した際、スリット２５形成部が弾性変形し易くなる。
【００３０】
図５に示す閉塞部材２６は、上記図２と同形をなし、その塞ぎ板１９における互いに隣接する係止孔１４との間に、縦スリット２０と直交する横向きスリット２７を設けたものである。
【００３１】
このような横向きスリット２７を設けると、係止軸１６がいずれかの係止孔１４に挿入されて、それと対向する部分の塞ぎ板１９が弾性変形する際に、他の係止孔１４と対向する部分の塞ぎ板１９が引き連れられて弾性変形することがなくなるので、他の係止孔１４の閉塞性が向上する。なお、このような横向きスリット２７を、図４に示す閉塞部材２３の両閉塞片１９ａ，１９ｂにも設けてもよい。
【００３２】
図６に示す閉塞部材２８は、上記と同じ塞ぎ板１９における各係止孔１４と対向する部分に、コ字状（逆コ字状でもよい）をなすスリット２９を設け、係止軸１６を挿入した際、スリット２９により囲まれた部分の塞ぎ板１９が後方に後方に弾性変形するようにしたものである。
【００３３】
このようにすると、スリット２９に囲まれた部分のみが、他に影響を与えることなく弾性変形するので、係止軸１６が挿入されていない他の係止孔１４の閉塞性がよくなり、商品の冷却効率が向上する。
【００３４】
図７に示す閉塞部材３０は、各係止孔１４を個別に閉塞し得る大きさの複数の塞ぎ板３１を、上下に並べたものよりなっている。各塞ぎ板３１は、弾性変形可能な軟質合成樹脂よりなる閉塞片３１ａと、その一側端に一体成形された、後面板１３に固定される硬質合成樹脂よりなる取付片３１ｂとからなっている。
【００３５】
このような、閉塞部材３０を用いると、各係止孔１４は独立して弾性変形する個々の塞ぎ板３１により閉塞されているので、各係止孔１４の閉塞性が一層向上し、商品の冷却効率もさらに向上する。
【００３６】
なお、図２に示す閉塞部材１７において、縦スリット２０は、各係止孔１４と対向する部分に不連続状に設けてもよい。
【図面の簡単な説明】
【００３７】
【図１】本発明の冷蔵ショーケースの中央縦断側面図である。
【図２】閉塞部材の後面図である。
【図３】係止軸挿入部の横断平面図である。
【図４】閉塞部材の第１の変形例を示す後面図である。
【図５】同じく、閉塞部材の第２の変形例を示す後面図である。
【図６】同じく、閉塞部材の第３の変形例を示す後面図である。
【図７】同じく、閉塞部材の第４の変形例を示す後面図である。
【符号の説明】
【００３８】
１                冷蔵ショーケース
２                断熱材
３                外箱
４                内箱
５                ケース本体
６                通風路
７                冷却手段
８                送風手段
９                吹出口
１０              吸込口
１１              冷蔵室
１２              前面板
１３              後面板
１４              係止孔
１５              棚板
１６              係止軸（係止突部）
１７              閉塞部材
１８              枠状縁板
１９              塞ぎ板
１９ａ，１９ｂ    分割片
２０              縦スリット
２１              横向きスリット
２２              取付孔
２３              閉塞部材
２４              縁板
２５              スリット
２６              閉塞部材
２７              横向きスリット
２８              閉塞部材
２９              スリット
３０              閉塞部材
３１              塞ぎ板
３１ａ            閉塞片
３１ｂ            取付片
【図１】
2005337603.tif 000003
【図２】
2005337603.tif 000004
【図３】
2005337603.tif 000005
【図４】
2005337603.tif 000006
【図５】
2005337603.tif 000007
【図６】
2005337603.tif 000008
【図７】
2005337603.tif 000009